(57)【要約】【解決手段】  中筒（Ａ）、湯溜まり（Ｂ）、及び、外筒（Ｃ）を含んで構成されるコーヒー抽出器であって、中筒（Ａ）と外筒（Ｃ）は、横断面において同心円であり、中筒（Ａ）の内側は、ストレート部（Ｓ2）とテーパー部（Ｔ2）を含んで構成され、湯溜まり（Ｂ）は、熱湯を蓄えるためのものであり、湯溜まり（Ｂ）の内側は、中筒（Ａ）の外側で相当し、湯溜まり（Ｂ）の外側は、外筒（Ｃ）の内側に相当するものであることを特徴とする、コーヒー抽出器。【効果】  コーヒー抽出液の熱が冷たいドリッパーに奪われることなく、熱いコーヒーを抽出できる。コーヒー粉とコーヒー抽出液との不要な接触を遮断することにより、コーヒー粉の雑味とコーヒードリップバッグのフィルター紙の臭いがコーヒー抽出液に移ることを抑制できる。【選択図】  図１６
2011200280.tif 000002
【特許請求の範囲】
【請求項１】
中筒（Ａ）、湯溜まり（Ｂ）、及び、外筒（Ｃ）を含んで構成されるコーヒー抽出器であって、
中筒（Ａ）と外筒（Ｃ）は、横断面において同心円であり、
中筒（Ａ）の内側は、ストレート部（Ｓ2）とテーパー部（Ｔ2）を含んで構成され、
湯溜まり（Ｂ）は、熱湯を蓄えるためのものであり、
湯溜まり（Ｂ）の内側は、中筒（Ａ）の外側で相当し、
湯溜まり（Ｂ）の外側は、外筒（Ｃ）の内側に相当し、
中筒（Ａ）について、開口部の平均内径をＲ2、ストレート部の長さをＬS2、テーパー部の長さをＬT2、ドリップバッグ先端部が位置する箇所における平均半径ｒ2とし、
コーヒー抽出器（Ｘ）中筒（Ａ）のストレート部（Ｓ2）の接線とテーパー部（Ｔ2）の接線がなす角であるテーパー角をθ2としたときに、
次の数式（１１）〜（１５）
４８ｍｍ  ≦  Ｒ2  ≦  ５８ｍｍ              （１１）
６０ｍｍ  ≦  ＬS2  ≦  ６８ｍｍ             （１２）
２２ｍｍ  ≦  ＬT2  ≦  ３２ｍｍ             （１３）
３８ｍｍ  ≦  ｒ2  ≦  ４６ｍｍ              （１４）
１０°  ≦  θ2  ≦  ３０°                （１５）
を同時に満足するものであることを特徴とする、
コーヒー抽出器。
【請求項２】
バッグ本体（Ｙ’）、及び、フック（Ｆ）を含んで構成されるドリップバッグであって、
バッグ本体（Ｙ’）は、
上端に開口部を設け、開口部以外の外縁をシールすることにより、
内部に抽出材料を充填することができる機能を有し、
材質は、フィルターとしての機能を有するものであり、
フック（Ｆ）は、バッグ本体（Ｙ’）をコーヒー抽出器に係止することができる機能を有するものであり、
バッグ本体（Ｙ’）について、開口部を円状に広げたとき平均半径をＲ1、開口部を扁平に畳んだときの長さをＷ、テーパー部（Ｔ1）の曲率半径をＲT、ストレート部の長さをＬS1、テーパー部の長さをＬT1、先端部（Ｇ）の曲率半径をＲGとし、
コーヒー粉（Ｐ）を充填することによりストレート部（Ｓ1）が概ね円柱状となった状態におけるストレート部（Ｓ1）の接線とテーパー部（Ｔ1）の接線がなす角であるテーパー角をθ1としたときに、
次の数式（２１）〜（２７）
４２ｍｍ  ≦  Ｒ1  ≦  ４６ｍｍ              （２１）
Ｗ ＝ （ Ｒ1 ×π ）÷２      （２２）
５０ｍｍ  ≦  ＲT  ≦  ６０ｍｍ              （２３）
７０ｍｍ  ≦  ＬS1  ≦ ８０ｍｍ              （２４）
２０ｍｍ  ≦  ＬT1  ≦ ３０ｍｍ              （２５）
９５ｍｍ ≦ ＬS1 ＋ ＬT1 ≦ １０５ｍｍ      （２６）
４５°  ≦  θ1  ≦  ５５°                （２７）
を同時に満足するものであることを特徴とする、
ドリップバッグ。
【発明の詳細な説明】
【技術分野】
【０００１】
この発明は加熱調理をして、抽質後のコーヒー液に触れないコーヒードリップバッグより、簡単に美味しく、コーヒーを抽出する、調理器具と、専用設計の抽質後のコーヒー液に触れないドリップバッグに関する。
本発明は、カップ等の容器の上部に係止することにより、容易にドリップ式でコーヒー等の抽出液を得られるようにするドリップバッグに関する。
【背景技術】
【０００２】
［特許文献１  実登３１１６２１９号公報］
実登３１１６２１９号公報には、従来の技術においては、従来の技術におけるコーヒーフィルター用のコーヒー抽出器の典型的な具体例が挙げられている（図１）。
このコーヒー抽出器は、漏斗部の内周に、下方から上方に向かって相互に間隔が広がる螺旋状に複数のリブが配置され、かつこのリブが下方に向かうにしたがって順次高くなるように隆起するように構成され、ペーパーフィルターが漏斗部の内周に密着することなく、通気が均一に行われコーヒー粉の蒸らしが均一かつ円滑に行われ、抽出されるコーヒーの風味を損なわないものであった。
【０００３】
［特許文献２  特開２００７−１５９８９７号公報］
特開２００７−１５９８９７号公報には、従来の技術において一般的ではなかったコーヒードリップバッグ用のコーヒー抽出器の具体例が挙げられている（図２）。
ドリップバッグのある種類の物は、ドリップが進むとバッグの下部が抽出済みのコーヒー内に浸ってしまう。抽出済みのコーヒー内に大多数の人が好まない雑味が移りやすい。
抽出後のバッグを廃棄しようとすると、周囲を清掃が困難なコーヒー液で汚してしまう。
コーヒーカップには色々な大きさや形があるため、多くのドリップバッグは全てのコーヒーカップにうまく取り付けることが出来ず使用者の様々な嗜好にあったコーヒーカップの使用を楽しめない。
ある種のドリップバッグに付いているドリップバッグを支える支柱部分の部材が毎回ごみとなる。
【０００４】
［非特許文献１  『ＣＡＦＥ工房（運営；（株）セイコー珈琲）ホームページ』］
ＣＡＦＥ工房（運営；（株）セイコー珈琲）ホームページ〔ＵＲＬ；http://www.cafekobo.com.cn/howtodrink/index.html〕には、従来の技術において一般的なコーヒードリップバッグを利用したコーヒーの抽出方法の典型的な具体例が開示されている（図３）。
コーヒーの旨みを最大限に引き出すためには、十分に蒸らす必要があることは、従来より広く知られている。
このホームページに開示されている一般的なコーヒードリップバッグを利用したコーヒーの抽出方法は、次の５ステップから構成される。
〈ステップ１〉コーヒーカップをあらかじめ温めておきます。
〈ステップ２〉ドリップバッグを切り取り線に沿って開封し、コーヒーカップにセットします。
〈ステップ３〉粉が浸る程度の熱湯（適温９０℃）を注いで、３０秒程蒸らして待ちます。
〈ステップ４〉２〜３回に分けてお湯を加えドリップします。  
〈ステップ５〉おいしいコーヒーが出来上がります。
【先行技術文献】
【特許文献】
【０００５】
【特許文献１】実登３１１６２１９号公報
【特許文献２】特開２００７−１５９８９７号公報
【非特許文献】
【０００６】
【非特許文献１】ＣＡＦＥ工房（運営；（株）セイコー珈琲）ホームページ〔ＵＲＬ；http://www.cafekobo.com.cn/howtodrink/index.html〕
【発明の概要】
【発明が解決しようとする課題】
【０００７】
従来の技術におけるコーヒー抽出器（ドリッパー）は、通常、理科実験で使用する漏斗のように、漏斗部が円錐形をしている。
従来の技術におけるドリッパーに適用するペーパーフィルターは、通常、理科実験で使用する漏斗に適用する濾紙のように、やはり円錐形をしている。
市販されているペーパーフィルターは、通常、使用前は扁平な扇形、又は、台形状を呈しており、使用時には、折り曲げたり、湾曲させたりして、立体的な円錐形としてから、ドリッパーにセットしなければならなかった。
しかし、従来の技術において、ドリッパーにペーパーフィルタを適用する場合には、円錐形の内面を有するドリッパーと、円錐形の外面を有するペーパーフィルターが密着してしまい、フィルターで濾されたコーヒー抽出液が、ドリッパー内面を伝い落ちるうちに、コーヒー抽出液の熱が冷たいドリッパーに奪われてしまい、熱いコーヒーを抽出することが困難であるという問題があった。
【０００８】
従来の技術においては、コーヒー抽出器（ドリッパー）とペーパーフィルターを利用するコーヒー抽出器具とは全く異なるタイプの器具として、コーヒー抽出器（ドリッパー）を使用することなく、紙製品であるコーヒードリップバッグのフックをカップのフチに引っ掛けて、コーヒーを抽出するタイプのコーヒー抽出器具もある。
このタイプのコーヒードリップバッグは、基本的には、フック部とバッグ部を含んで構成されるが、バッグ部は、通常、矩形の封筒（エンベロープ）形をしている。
コーヒードリップバッグのバッグ部は、通常、使用前は扁平な矩形の封筒（エンベロープ）形を呈しており、使用時には、湾曲させて、立体的な円筒形としてから、カップにセットすることとなる。
しかし、従来の技術において、コーヒードリップバッグをカップにセットしてコーヒーを抽出する場合、コーヒードリップバッグがカップ内のコーヒー抽出液に浸漬されてしまい、コーヒー粉の雑味とコーヒードリップバッグのフィルター紙の臭いがコーヒー抽出液に移ってしまうという問題があった。
【０００９】
従来の技術において、コーヒードリップバッグをカップにセットしてコーヒーを抽出する場合、コーヒードリップバッグがカップ内のコーヒー抽出液に浸漬されてしまい、コーヒードリップバッグ内のコーヒー粉が、カップ内のコーヒー抽出液を吸収しきっているので、抽出完了時に、コーヒードリップバッグをカップから引き上げる際には、コーヒードリップバッグの下端から、コーヒー抽出液がポタポタと滴下してしまい、ソーサー、テーブル、床等を汚してしまうという問題があった。
【００１０】
従来の技術においては、通常、コーヒー抽出器（ドリッパー）とペーパーフィルターを利用するタイプのコーヒー抽出器具においても、コーヒードリップバッグのフックをカップのフチに引っ掛けてコーヒーを抽出するタイプのコーヒー抽出器具においても、コーヒー粉を蒸らすためには、コーヒー粉の上方から熱湯を少しずつ垂らす方法が一般的であり、
フィルターやコーヒードリップバッグの側方や下方からコーヒー粉を蒸らす方法は、一般的ではなく、コーヒー粉を全方位から蒸らすことが困難であるという問題があった。
【００１１】
上述した従来の技術における問題点に鑑み、本発明が解決しようとする課題は次のとおりである。
【００１２】
［第１の課題］
本発明が解決しようとする課題の１つは、コーヒー抽出液の熱が冷たいドリッパーに奪われることなく、熱いコーヒーを抽出することである。
【００１３】
［第２の課題］
本発明が解決しようとする課題の１つは、コーヒー粉とコーヒー抽出液との不要な接触を遮断することにより、コーヒー粉の雑味とコーヒードリップバッグのフィルター紙の臭いがコーヒー抽出液に移ることを抑制することである。
【００１４】
［第３の課題］
本発明が解決しようとする課題の１つは、コーヒー粉がコーヒー抽出液に浸漬しないように工夫することにより、コーヒードリップバッグをカップから引き上げる際に、コーヒードリップバッグの下端から、コーヒー抽出液がポタポタと滴下することを抑制することである。
【００１５】
［第４の課題］
本発明が解決しようとする課題の１つは、コーヒー粉の上方のみならず、コーヒー粉の側方や下方から蒸らし、もって、コーヒーの旨みをいっそう引き出すことである。
【発明の効果】
【００１６】
本発明の効果は次のとおりである。
【００１７】
［第１の効果］
本発明の効果の１つは、コーヒー抽出液の熱が冷たいドリッパーに奪われることなく、美味しく感じる熱いコーヒーを抽出することができる。
【００１８】
［第２の効果］
本発明の効果の１つは、コーヒー粉とコーヒー抽出液との不要な接触を遮断することにより、コーヒー粉の雑味とコーヒードリップバッグのフィルター紙の臭いがコーヒー抽出液に移ることを抑制することができる。
【００１９】
［第３の効果］
本発明の効果の１つは、コーヒー粉がコーヒー抽出液に浸漬しないように工夫することにより、コーヒー抽出後、コーヒードリップバッグをカップから引き上げて、生ゴミとして廃棄する際に、コーヒードリップバッグの下端から、コーヒー抽出液がポタポタと滴下して、周囲（テーブル、床等）を汚染することを抑制することができる。
【００２０】
［第４の効果］
本発明の効果の１つは、コーヒー粉の上方のみならず、コーヒー粉の側方や下方から蒸らすことができる。
【００２１】
［第５の効果］
本発明の効果の１つは、コーヒー粉がドリップバッグの内部で運動をすることができるので、コーヒー粉の抽出効率を顕著に改善することができる。
コーヒー粉がドリップバッグの内部で運動をすることができるので、同じ量のコーヒー粉から、より濃厚な抽出液と、より濃厚で香しい芳香を抽出することができる。
コーヒー粉がドリップバッグの内部で運動をすることができるので、コーヒー粉の使用量を低減することが可能である。
この効果は、ドリップバッグ（Ｙ）のテーパー部（カーブ部）（Ｔ1）と、先端部（Ｇ）の縁辺部を、湾曲したカーブとした理由の１つは、熱湯でコーヒー粉からコーヒー抽出液を抽出する過程において、熱湯がコーヒー粉の内部で活発に対流運動をし、対流活動により、コーヒー粉がドリップバッグの内部で運動をすることに起因すると考えられる。
【００２２】
［第６の効果］
本発明の効果の１つは、ドリップバッグ（Ｙ）で膨潤しているコーヒー粉（Ｐ）がはらんでいる熱が、ドリップバッグ（Ｙ）の外部に逃げることを抑制することができることである。
通常、コーヒー抽出器（Ｘ）とドリップバッグ（Ｙ）の間には、５〜７ｍｍの隙間が連続的に設けてあるので、下方にある抽出したコーヒー液（Ｊ）から、上方にあるコーヒー粉（Ｐ）を充填してあるドリップバッグ（Ｙ）のテーパー状の底部（テーパー部（Ｔ1））に向かって、高温の湯気の全てが立ち上り、ドリップバッグ（Ｙ）で膨潤しているコーヒー粉（Ｐ）に熱を伝達すると共にを蒸らす。
通常、コーヒー抽出器（Ｘ）とドリップバッグ（Ｙ）の間には、５〜７ｍｍの隙間が連続的に設けてあるので、下方にある抽出したコーヒー液（Ｊ）から、上方にあるコーヒー粉（Ｐ）を充填してあるドリップバッグ（Ｙ）の筒状の胴部（ストレート部（Ｓ1））に向かって、高温の湯気の全てがエアーカーテン状（層流状）に勢い良く立ち上り、ドリップバッグ（Ｙ）で膨潤しているコーヒー粉（Ｐ）がはらんでいる熱が、ドリップバッグ（Ｙ）の外部に逃げることを抑制する。
【課題を解決するための手段】
【００２３】
本発明は、「特許請求の範囲」の「請求項１」及び「請求項２」に記載した事項により特定される。
「請求項１」に記載した事項の理解を支援する主要な図面は、図８、図１０、及び、図１５である。
「請求項２」に記載した事項の理解を支援する主要な図面は、図９〜１５である。
【００２４】
［請求項１］
中筒（Ａ）、湯溜まり（Ｂ）、及び、外筒（Ｃ）を含んで構成されるコーヒー抽出器であって、
中筒（Ａ）と外筒（Ｃ）は、横断面において同心円であり、
中筒（Ａ）の内側は、ストレート部（Ｓ2）とテーパー部（Ｔ2）を含んで構成され、
湯溜まり（Ｂ）は、熱湯を蓄えるためのものであり、
湯溜まり（Ｂ）の内側は、中筒（Ａ）の外側で相当し、
湯溜まり（Ｂ）の外側は、外筒（Ｃ）の内側に相当し、
中筒（Ａ）について、開口部の平均内径をＲ2、ストレート部の長さをＬS2、テーパー部の長さをＬT2、ドリップバッグ先端部が位置する箇所における平均半径ｒ2とし、
コーヒー抽出器（Ｘ）中筒（Ａ）のストレート部（Ｓ2）の接線とテーパー部（Ｔ2）の接線がなす角であるテーパー角をθ2としたときに、
次の数式（１１）〜（１５）
４８ｍｍ  ≦  Ｒ2  ≦  ５８ｍｍ              （１１）
６０ｍｍ  ≦  ＬS2  ≦  ６８ｍｍ             （１２）
２２ｍｍ  ≦  ＬT2  ≦  ３２ｍｍ             （１３）
３８ｍｍ  ≦  ｒ2  ≦  ４６ｍｍ              （１４）
１０°  ≦  θ2  ≦  ３０°                （１５）
を同時に満足するものであることを特徴とする、
コーヒー抽出器。
［請求項２］
バッグ本体（Ｙ’）、及び、フック（Ｆ）を含んで構成されるドリップバッグであって、
バッグ本体（Ｙ’）は、
上端に開口部を設け、開口部以外の外縁をシールすることにより、
内部に抽出材料を充填することができる機能を有し、
材質は、フィルターとしての機能を有するものであり、
フック（Ｆ）は、バッグ本体（Ｙ’）をコーヒー抽出器に係止することができる機能を有するものであり、
バッグ本体（Ｙ’）について、開口部を円状に広げたとき平均半径をＲ1、開口部を扁平に畳んだときの長さをＷ、テーパー部（Ｔ1）の曲率半径をＲT、ストレート部の長さをＬS1、テーパー部の長さをＬT1、先端部（Ｇ）の曲率半径をＲGとし、
コーヒー粉（Ｐ）を充填することによりストレート部（Ｓ1）が概ね円柱状となった状態におけるストレート部（Ｓ1）の接線とテーパー部（Ｔ1）の接線がなす角であるテーパー角をθ1としたときに、
次の数式（２１）〜（２７）
４２ｍｍ  ≦  Ｒ1  ≦  ４６ｍｍ              （２１）
Ｗ ＝ （ Ｒ1 ×π ）÷２      （２２）
５０ｍｍ  ≦  ＲT  ≦  ６０ｍｍ              （２３）
７０ｍｍ  ≦  ＬS1  ≦ ８０ｍｍ              （２４）
２０ｍｍ  ≦  ＬT1  ≦ ３０ｍｍ              （２５）
９５ｍｍ ≦ ＬS1 ＋ ＬT1 ≦ １０５ｍｍ      （２６）
４５°  ≦  θ1  ≦  ５５°                （２７）
を同時に満足するものであることを特徴とする、
ドリップバッグ。
【００２５】
「請求項１」に記載したコーヒー抽出器（Ｘ）の発明特定事項を規定するパラメーターは、中筒（Ａ）について、開口部の平均内径（Ｒ2）、ストレート部の長さ（ＬS2）、テーパー部の長さ（ＬT2）、ドリップバッグ先端部が位置する箇所における平均半径（ｒ2）、コーヒー抽出器（Ｘ）中筒（Ａ）のストレート部（Ｓ2）の接線とテーパー部（Ｔ2）の接線がなす角であるテーパー角（θ2）である。
これらのパラメーターは、次の数式（１１）〜（１５）を同時に満足する必要がある。
４８ｍｍ  ≦  Ｒ2  ≦  ５８ｍｍ              （１１）
６０ｍｍ  ≦  ＬS2  ≦  ６８ｍｍ             （１２）
２２ｍｍ  ≦  ＬT2  ≦  ３２ｍｍ             （１３）
３８ｍｍ  ≦  ｒ2  ≦  ４６ｍｍ              （１４）
１０°  ≦  θ2  ≦  ３０°                （１５）
数式（１１）〜（１５）を同時に満足することにより、市販のドリップバッグ、及び／又は、請求項２に記載したドリップバッグを、中筒（Ｂ）に非接触的に装着することができる。
換言すれば、数式（１１）〜（１５）を同時に満足しないと、市販のドリップバッグ、及び／又は、請求項２に記載したドリップバッグを好適に装着することができず、後述する「発明の効果」を奏することができない。
【００２６】
「請求項２」に記載したドリップバッグ（Ｙ）の発明特定事項を規定するパラメーターは、バッグ本体（Ｙ’）について、開口部を円状に広げたとき平均半径（Ｒ1）、開口部を扁平に畳んだときの長さ（Ｗ）、テーパー部（Ｔ1）の曲率半径（ＲT）、ストレート部の長さを（ＬS1）、テーパー部の長さを（ＬT1）、先端部（Ｇ）の曲率半径（ＲG）、コーヒー粉（Ｐ）を充填することによりストレート部（Ｓ1）が概ね円柱状となった状態におけるストレート部（Ｓ1）の接線とテーパー部（Ｔ1）の接線がなす角であるテーパー角（θ1）である。
これらのパラメーターは、次の数式（２１）〜（２７）を同時に満足する必要がある。
４２ｍｍ  ≦  Ｒ1  ≦  ４６ｍｍ              （２１）
Ｗ ＝ （ Ｒ1 ×π ）÷２      （２２）
５０ｍｍ  ≦  ＲT  ≦  ６０ｍｍ              （２３）
７０ｍｍ  ≦  ＬS1  ≦ ８０ｍｍ              （２４）
２０ｍｍ  ≦  ＬT1  ≦ ３０ｍｍ              （２５）
９５ｍｍ ≦ ＬS1 ＋ ＬT1 ≦ １０５ｍｍ      （２６）
４５°  ≦  θ1  ≦  ５５°                （２７）
数式（２１）〜（２７）を同時に満足することにより、本発明に係るドリップバッグ（Ｙ）を、請求項１に記載したコーヒー抽出器（Ｘ）の中筒（Ｂ）に非接触的に装着することができる。
換言すれば、数式（２１）〜（２７）を同時に満足しないと、本発明に係るドリップバッグ（Ｙ）を、請求項１に記載したコーヒー抽出器（Ｘ）の中筒（Ｂ）に非接触的に装着することができず、後述する「発明の効果」を奏することができない。
【発明を実施するための形態】
【００２７】
本発明に係るコーヒー抽出器（Ｘ）及びドリップバッグ（Ｙ）において、抽出材料は、特に制限されるのものではない。
好ましい抽出材料としては、コーヒー粉、又は、茶葉である。
図１８に示す如く、コーヒー抽出器（Ｘ）及びドリップバッグ（Ｙ）は、相互に一定間隔を空けて隔絶しており、両者の接触が回避されている。
ドリップバッグ（Ｙ）のコーヒー抽出器（Ｘ）への係止は、通常、２片のフックによりなされる。
コーヒー抽出液（Ｊ）は、先端部（Ｇ）の下端から滴り落ちる。
本発明に係るコーヒー抽出器（Ｘ）及びドリップバッグ（Ｙ）について、図面を参照しつつ、詳細に説明する。
【００２８】
［コーヒー抽出器（Ｘ）の基本構造（上方からの斜視図）］
図４に、本発明に係るコーヒー抽出器（Ｘ）の基本構造（上方からの斜視図）を示した。
コーヒー抽出器（Ｘ）を上方から斜視した基本構造は、中筒（抽出筒、Ａ）、湯溜まり（Ｂ）、及び、外筒（Ｃ）を含んで構成される。
図４に示した態様には、湯溜まり（Ｂ）外側側部に、取っ手（ハンドル）を取り付けていない例である。
図４に示した態様の応用例と、湯溜まり（Ｂ）外側側部に、取っ手（ハンドル）を取り付けても構わない。
【００２９】
［コーヒー抽出器（Ｘ）の基本構造（下方からの斜視図）］
図５に、本発明に係るコーヒー抽出器（Ｘ）の基本構造（下方からの斜視図）を示した。
コーヒー抽出器（Ｘ）を下方から斜視した基本構造は、中筒突出部（Ａ’）、湯溜まり（Ｂ）、外筒（Ｃ）、及び、底部（Ｄ）を含んで構成される。
【００３０】
［コーヒー抽出器（Ｘ）の構造と材質］
図４と図５は、本発明に係るコーヒー抽出器（Ｘ）を欅の一木造りで製作した例である。
図４と図５に示した実施態様においては、材質は欅であり、構造が一木造りであって、天然の漆の拭き漆仕上げとしてある。
従って、調理器具として使用しても安全・安心である。
本発明に係るコーヒー抽出器（Ｘ）の材質は、特に制限されるものではない。
他に利用出来る材質としては、例えば、調理器具や医療用品に通常使用されている材質、例えば、ステンレス、チタン、ポリカーボネート、耐熱ガラス等も利用可能である。
【００３１】
［コーヒー抽出器（Ｘ）の好ましい態様］
図６に、コーヒー抽出器（Ｘ）の好ましい態様の断面図を示した。
図６において、主要部の寸法は、次のとおりである。
中筒（Ａ）開口部の平均外径＝６２ｍｍ
Ｒ2（中筒（Ａ）開口部の平均内径）＝５３ｍｍ
ｒ2（中筒（Ａ）のドリップバッグ先端部における平均半径）＝４５ｍｍ
ＬS2（中筒（Ａ）のストレート部の長さ）＝６４ｍｍ
ＬT2（中筒（Ａ）のテーパー部の長さ）＝２７ｍｍ
θ2（コーヒー抽出器（Ｘ）中筒（Ａ）のテーパー角）＝１６°
【００３２】
［コーヒー抽出器（Ｘ）中筒（Ａ）とドリップバッグ（Ｙ）の主要部の名称と寸法］
図７に、コーヒー抽出器（Ｘ）中筒（Ａ）とドリップバッグ（Ｙ）の主要部の名称と寸法を示した。
図７に示す如く、ドリップバッグ（Ｙ）をコーヒー抽出器（Ｘ）に装着する際に、ドリップバッグ（Ｙ）のテーパー部（Ｔ1）縁辺と、コーヒー抽出器（Ｘ）のテーパー部（Ｔ2）縁辺とを、一定間隔で並行させることにより、密着させずに一定隙間を維持せしめるべく、従来技術におけるドリップバッグと比較して、本発明に係るドリップバッグにおいては、フックの取り付け位置が、６ｍｍ上方にある。
ドリップバッグ（Ｙ）のテーパー部（Ｔ1）縁辺と、コーヒー抽出器（Ｘ）のテーパー部（Ｔ2）縁辺とを、一定間隔で並行させることにより、ドリップバッグ（Ｙ）のテーパー部（Ｔ1）縁辺のカーブに沿って、湯溜まり（Ｂ）内の熱湯からの輻射熱と、コーヒー抽出液（Ｊ）から立ち上る湯気からの熱が伝導しやすくなる。
図７において、主要部の名称と寸法は、次のとおりである。
Ｒ1；ドリップバッグ開口部の平均半径
Ｒ2；（中筒（Ａ）開口部の平均内径
Ｓ1；ドリップバッグのストレート部
Ｔ1；ドリップバッグのテーパー部（カーブ部）
Ｓ2；中筒（Ａ）のストレート部
Ｔ2；中筒（Ａ）のテーパー部
ｒ2；中筒（Ａ）のドリップバッグ先端部における平均半径
【００３３】
［ドリップバッグ（Ｙ）の構造］
本発明に係るコーヒー抽出器（Ｘ）で使用することができるドリップバッグの形状と材質は、特に制限されるものではない。
本発明に係るコーヒー抽出器（Ｘ）に、本発明に係るドリップバッグ（Ｙ）を適用して抽出したコーヒー液の味覚と芳香は、格別のものである。
然るに、ドリップバッグ（Ｙ）としての本発明に係るドリップバッグ（Ｙ）を適用した場合におけるコーヒー液の味覚と芳香にはやや及ばぬものの、市販のドリップバッグであっても、コーヒーを抽出することも可能である。
【００３４】
［コーヒー抽出器（Ｘ）中筒（Ａ）とドリップバッグ（Ｙ）の主要部の寸法］
図８に、コーヒー抽出器（Ｘ）中筒（Ａ）とドリップバッグ（Ｙ）の主要部の寸法を示した。
図８において、主要部の名称と寸法は、次のとおりである。
Ｒ1；ドリップバッグ開口部の平均半径
Ｒ2；中筒（Ａ）開口部の平均内径
ＬS1；ドリップバッグのストレート部の長さ
ＬT1；ドリップバッグのテーパー部（カーブ部）の長さ
ＬS1；ドリップバッグのストレート部の長さ
ＬT1；ドリップバッグのテーパー部（カーブ部）の長さ
Ｌ1＝ＬS1＋ＬT1
ＬS2；中筒（Ａ）のストレート部の長さ
ＬT2；中筒（Ａ）のテーパー部の長さ
Ｌ2＝ＬS2＋ＬT2
ｒ2；中筒（Ａ）のドリップバッグ先端部における平均半径
【００３５】
［ドリップバッグ（Ｙ）の基本構造］
図９に、ドリップバッグ（Ｙ）の基本構造（好ましい態様の形状と寸法）を示した。
ドリップバッグ（Ｙ）の基本構造は、バッグ本体（Ｙ’）とフック（Ｆ）を含んで構成される。
図９において、主要部の寸法は、次のとおりである。
標準的な包装アルミパック（Ｅ）の内寸 ＝ １０７ｍｍ
（ Ｒ1 × π ）÷２ ＝ Ｗ ＝ ７０ｍｍ
ＬS1 ＝ ７５ｍｍ
ＬS1 ＋ ＬT1 ＝ １００ｍｍ
【００３６】
［バッグ本体（Ｙ’）］
ドリップバッグ（Ｙ）は、上端に開口部を有し、開口部以外の外縁はシールしてある。
バッグ本体（Ｙ’）の材質は、通水性濾過性シートであれば、特に制限されないが、通常、針葉樹パルプやポリオレフィン（ＰＥ，変性ＰＥ、ＰＰ、変性ＰＰ）樹脂パルプを抄紙してなる濾紙、不織布である。
コーヒー抽出を目的とする場合には、コーヒー粉を透過せず、コーヒー抽出液のみを透過する材質が好ましい。
バッグ本体（Ｙ’）の形状は、内部に抽出材料（コーヒー粉、茶葉、漢方療法で使用する生薬等）を充填することが可能であれば特に制限されないが、通常、バッグ状、又は、エンベロープ状の形状である。
【００３７】
［フック（Ｆ）］
ドリップバッグ（Ｙ）のコーヒー抽出器（Ｘ）への係止は、通常、２片のフック（Ｆ）によりなされる。
フック（Ｆ）は、バッグ本体（Ｙ’）の側面に固定され、コーヒー抽出器の中筒（Ａ）の中心に開封したドリップバッグ本体を係止する機能を有する。
フック（Ｆ）のバッグ本体（Ｙ’）への固定方法は、特に制限されるものではないが、通常、貼着又は溶着等により固定される。
フック（Ｆ）の材質は、上記機能を発揮できるものであれば特に制限されないが、通常、ボール紙等の薄板状材料が好ましく使用される。
フック（Ｆ）の形状は、特に制限されるものではないが、通常、所謂当業者間において「Ｘ型」と呼称されている形状が好ましく使用される。
【００３８】
［アルミパック（Ｅ）］
ドリップバッグ（Ｙ）は、通常、アルミパック（Ｅ）内に密封される。
アルミパックは、通常、業界標準（デファクトスタンダード）のもの（内寸が、概ね１０７ｍｍ）が好ましく使用される。
ドリップバッグ（Ｙ）には、予めコーヒー粉を充填し、乾燥剤、及び／又は、酸素吸収剤と共に、アルミパック（Ｅ）内に密封される場合もある。
酸素吸収剤を封入する場合には、アルミパックには、ガスバリア性フィルムをラミネートしたフィルムを使用する。
この場合、アルミパック（Ｅ）の容積の許容範囲のぎりぎりとなるようなときには、コーヒーが充填されていない部分を折り返したり、折り畳んだりすることにより、効率よく密封することもできる。
業界標準（デファクトスタンダード）のアルミパックではなく、より大型のアルミパックを使用することもできる。
そのため、通常、ドリップバッグ（Ｙ）の全長は、業界標準（デファクトスタンダード）のアルミパックの内寸により、制限を受ける。
図９に示す如く、業界標準（デファクトスタンダード）のアルミパックの内寸は、概ね１０７ｍｍである。
【００３９】
［ドリップバッグ（Ｙ）の基本構造（好ましい態様）］
図１０に、ドリップバッグ（Ｙ）の基本構造（好ましい態様）を示した。
図１０において、主要部の名称は、次のとおりである。
Ｙ’；バッグ本体
Ｆ；フック
Ｓ1；ドリップバッグのストレート部
Ｔ1；ドリップバッグのテーパー部（カーブ部）
Ｇ；先端
【００４０】
［湾曲した縁辺を有するテーパー部］
従来の技術におけるドリップバッグは、図１７（イ）に示すとおり、矩形状、角張った封筒状の形状を有する。
然るに、本発明に係るドリップバッグ（Ｙ）のテーパー部（カーブ部）（Ｔ1）と、先端部（Ｇ）の縁辺部は、湾曲したカーブを描いている。
カーブの形状は、湾曲していれば、特に限定されるものではないが、通常、円弧、又は、楕円弧である。
ドリップバッグ（Ｙ）のテーパー部（カーブ部）（Ｔ1）と、先端部（Ｇ）の縁辺部を、湾曲したカーブとした理由の１つは、コーヒー抽出器の中筒（Ａ）の内側に、ドリップバッグ（Ｙ）を触れさせずに、狭い空間を設けることにより、コーヒー抽出液から立ち上る湯気を、煙突状に上昇せしめて、湯気がドリップバッグ（Ｙ）を介してコーヒー粉（Ｐ）に接触する。
【００４１】
［湾曲状テーパー部の作用効果〜１（湯と抽出対象の対流の促進）］
ドリップバッグ（Ｙ）のテーパー部（カーブ部）（Ｔ1）と、先端部（Ｇ）の縁辺部を、湾曲したカーブとした理由の１つは、熱湯でコーヒー粉からコーヒー抽出液を抽出する過程において、熱湯がコーヒー粉の内部で活発に対流運動をし、対流活動により、コーヒー粉がドリップバッグの内部で運動をすることができる。
【００４２】
［湾曲状テーパー部の作用効果〜２（抽出効率の改善）］
コーヒー粉がドリップバッグの内部で運動をすることができるので、コーヒー粉の抽出効率を顕著に改善することができる。
コーヒー粉がドリップバッグの内部で運動をすることができるので、同じ量のコーヒー粉から、より濃厚な抽出液と、より濃厚で香しい芳香を抽出することができる。
コーヒー粉がドリップバッグの内部で運動をすることができるので、コーヒー粉の使用量を低減することが可能である。
従来の技術において、市販されているコーヒー粉が充填済みのコーヒードリップバッグについては、業界標準（デファクトスタンダード）としては、コーヒー粉使用量は、１０グラムである。
然るに、本願発明においては、コーヒー粉使用量を８グラムまで低減したとしても、従来技術によるコーヒーバッグにコーヒー粉を１０グラム充填した場合と比較して、コーヒー抽出液の抽出濃度については同等又はそれ以上であり、コーヒー抽出液の雑味については顕著に少なく、コーヒー抽出液の芳香については顕著に濃厚である。
この事実は、本発明に係るコーヒーバッグの抽出効率の優秀性の証左である。
【００４３】
［湾曲状テーパー部の作用効果〜３（ドリップバッグの保温・断熱効果）］
ドリップバッグ（Ｙ）の底面断面が、直線的ではなくカーブを描くテーパー状であるので、コーヒー粉（Ｐ）に熱湯を注いだ後に、膨潤したコーヒー粉（Ｐ）の内部で、注いだ熱湯が活発に対流し、循環する。
好ましい態様において、コーヒー抽出器（Ｘ）とドリップバッグ（Ｙ）の間には、５〜７ｍｍの隙間が連続的に設けてあるので、下方にある抽出したコーヒー液（Ｊ）から、上方にあるコーヒー粉（Ｐ）を充填してあるドリップバッグ（Ｙ）のテーパー状の底部（テーパー部（Ｔ1））に向かって、高温の湯気の全てが立ち上り、ドリップバッグ（Ｙ）で膨潤しているコーヒー粉（Ｐ）に熱を伝達すると共に蒸らす。
好ましい態様において、コーヒー抽出器（Ｘ）とドリップバッグ（Ｙ）の間には、５〜７ｍｍの隙間が連続的に設けてあるので、下方にある抽出したコーヒー液（Ｊ）から、上方にあるコーヒー粉（Ｐ）を充填してあるドリップバッグ（Ｙ）の筒状の胴部（ストレート部（Ｓ1））に向かって、高温の湯気の全てがエアーカーテン状（層流状）に勢い良く立ち上り、ドリップバッグ（Ｙ）で膨潤しているコーヒー粉（Ｐ）がはらんでいる熱が、ドリップバッグ（Ｙ）の外部に逃げることを抑制する。
【００４４】
［ドリップバッグ（Ｙ)の形状と寸法（好ましい形態）］
図１１に、ドリップバッグ（Ｙ）の名称と寸法（好ましい態様）を示した。
図１１において、主要部の名称と寸法は、次のとおりである。
標準的な包装アルミパック（Ｅ）の内寸 ＝ １０７ｍｍ
（ Ｒ1 × π ）÷２ ＝ Ｗ ＝ ７０ｍｍ
ＬS1 ＝ ７５ｍｍ
ＬS1 ＋ ＬT1 ＝ １００ｍｍ
Ｔ1；ドリップバッグのテーパー部（カーブ部）
Ｓ2；中筒（Ａ）のストレート部
Ｅ；先端
【００４５】
図７に示す如く、ドリップバッグ（Ｙ）をコーヒー抽出器（Ｘ）に装着する際に、ドリップバッグ（Ｙ）のテーパー部（Ｔ1）縁辺と、コーヒー抽出器（Ｘ）のテーパー部（Ｔ2）縁辺とを、一定間隔で並行させることにより、密着させずに一定隙間を維持せしめるべく、従来技術におけるドリップバッグと比較して、本発明に係るドリップバッグにおいては、フックの取り付け位置が、６ｍｍ上方にある。
ドリップバッグ（Ｙ）のテーパー部（Ｔ1）縁辺と、コーヒー抽出器（Ｘ）のテーパー部（Ｔ2）縁辺とを、一定間隔で並行させることにより、ドリップバッグ（Ｙ）のテーパー部（Ｔ1）縁辺のカーブに沿って、湯溜まり（Ｂ）内の熱湯からの輻射熱と、コーヒー抽出液（Ｊ）から立ち上る湯気からの熱が伝導しやすくなる。
【００４６】
［ドリップバッグを規定するパラメーターとテーパー部の曲率半径］
図１２及び図１３に、ドリップバッグ（Ｙ）を規定するパラメーターと、テーパー部（Ｔ1）の曲率半径（ＲT）について、好ましい態様の形状と寸法を示した。
図１２において、主要部の形状と寸法は、次のとおりである。
Ｒ1；ドリップバッグ開口部の平均半径
Ｗ ＝ （ Ｒ1 × π ）÷２ 
ＲT；ドリップバッグ（Ｙ）のテーパー部（Ｔ1）の曲率半径
ＬS1；ストレート部長（ドリップバッグのストレート部の長さ）
ＬT1；テーパー部長（ドリップバッグのテーパー部（カーブ部）の長さ）
Ｌ1＝ＬS1＋ＬT1；ドリップバッグ全長
好ましい態様において、ＬS1（ストレート部長（ドリップバッグのストレート部の長さ））は７５ｍｍ、ＬT1（テーパー部長（ドリップバッグのテーパー部（カーブ部）の長さ））は２５ｍｍ、Ｌ1（＝ＬS1＋ＬT1、ドリップバッグ全長）は１００ｍｍである。
【００４７】
図１３において、主要部の形状と寸法は、次のとおりである。
ＲT；ドリップバッグ（Ｙ）のテーパー部（Ｔ1）の曲率半径
Ｒ’；偏心距離
（ＲTの中心についてのドリップバッグ（Ｙ）の中心からの距離）
好ましい態様において、ＲT（ドリップバッグ（Ｙ）のテーパー部（Ｔ1）の曲率半径）は５５〜６５ｍｍ、より好ましい態様においては５９〜６１ｍｍである。
【００４８】
［ドリップバッグ（Ｙ）を規定するパラメーターと先端部（Ｇ）の曲率半径］
図１４に、ドリップバッグ（Ｙ）を規定するパラメーターと先端部（Ｇ）の曲率半径（ＲG）について、好ましい態様の名称と寸法を示した。
図１４において、主要部の寸法は、次のとおりである。
ＲG；ドリップバッグ（Ｙ）の先端部（Ｇ）の曲率半径
【００４９】
［コーヒー抽出器（Ｘ）中筒（Ａ）とドリップバッグ（Ｙ）のテーパー角］
図１５に、コーヒー抽出器（Ｘ）中筒（Ａ）とドリップバッグ（Ｙ）のテーパー角の概念を示した。
図１５において、テーパー角は、次のとおりである。
θ1:コーヒー抽出器（Ｘ）中筒（Ａ）のストレート部（Ｓ2）の接線と
テーパー部（Ｔ2）の接線がなすのテーパー角
θ2；ドリップバッグ（Ｙ）にコーヒー粉（Ｐ）を充填して、ドリップバッグ
のストレート部（Ｓ1）が概ね円柱状となった状態におけるストレート部
（Ｓ1）の接線とテーパー部（Ｔ1）の接線がなすのテーパー角
【００５０】
［コーヒー抽出器（Ｘ）とドリップバッグ（Ｙ）を使用したコーヒー液抽出操作］
図１６に、コーヒー抽出器（Ｘ）とドリップバッグ（Ｙ）を使用して、コーヒー粉（Ｐ）からコーヒー液（Ｃ）を抽出する操作を示した。
操作手順は、次の（イ）〜（ハ）のとおりである。
《操作手順》
（イ）湯溜まり（Ｂ）に熱湯を張る。
（ロ）ドリップバッグ（Ｙ）内のコーヒー粉（Ｃ）に熱湯を細くそっと注ぐ。
（ハ）コーヒー粉（Ｐ）からコーヒー液（Ｃ）の抽出を終えた状態。
【００５１】
［コーヒー抽出操作の詳細］
操作手順の詳細は、次のとおりである。
沸騰したお湯を準備する。
少量の湯を、コーヒーカップに注ぎ余熱する。少量の湯を、１０ｍｍ程度、コーヒー抽出器（Ｘ）の湯溜まり（Ｂ）の内側に注ぎ余熱する。
アルミパック（Ｅ）を開封し、ドリップバッグ（Ｙ）を取り出す。
取り出したドリップバッグ（Ｙ）の上部に設けてあるキリトリ線を切り取る。
さらに、ドリップバッグ（Ｙ）側面上部に設けてある１対のフック（Ｆ）を開く。
開いたフック（Ｆ）を、コーヒー抽出器の中筒（Ａ）の上端に係止して、ドリップバッグ（Ｙ）の中心と、中筒（Ａ）の中心を合せて、ドリップバッグ（Ｙ）が中筒（Ａ）に接触しないようにセットする。
熱湯で予熱したコーヒーカップから、予熱用の熱湯を捨てる。
コーヒーカップの上端にコーヒー抽出器を装着する。
ドリップバッグの開口部から、沸騰した熱湯をごく少量注ぎ、３０秒ほどコーヒー豆を蒸らす。
適当な量のお湯を何回か注ぐ。
コーヒー抽出器をカップから取り外して、使用済みドリップバッグを、分別ゴミ箱に廃棄する。
複数杯のコーヒーを淹れる場合はコーヒー抽出器が冷めないうちに、同じ操作を繰り返す。
【００５２】
［コーヒー抽出器（Ｘ）とドリップバッグ（Ｙ）の好ましい態様］
図１７に、コーヒー抽出器（Ｘ）とドリップバッグ（Ｙ）の好ましい態様を示した。
図１７（イ）において、左側は市販ドリップバッグであり、右側は本願発明に係るドリップバッグ（Ｙ）である。
図１７（ロ）において、左側は標準的な包装アルミパック（Ｅ）であり、右側は本願発明に係るドリップバッグ（Ｙ）である。
図１７（ハ）において、本願発明に係るドリップバッグ（Ｙ）を本願発明に係るコーヒー抽出器（Ｘ）を使用せずに、カップに載せた状態を示した。
図１７（ハ）から明らかなように、ドリップバッグ（Ｙ）が不安定な状態が見て取れる。
この場合、ドリップバッグの全長が長すぎるので、ドリップバッグをカップに装着すると、フック（Ｆ）が、カップの上端よりも遙かに上方に位置してしまって、固定することが困難となる。
【００５３】
［コーヒー抽出器（Ｘ）とドリップバッグ（Ｙ）の使用態様］
図１８に、コーヒー抽出器（Ｘ）とドリップバッグ（Ｙ）の使用態様を示した。
本発明においては、好ましい態様において、コーヒー抽出器（Ｘ）とドリップバッグ（Ｙ）の間には、５〜７ｍｍの隙間が連続的に設けてある。
（１）  湯溜まり（Ｂ）に張った熱湯から、中筒（抽出筒（Ａ））を経て、ドリップバッグ（Ｙ）内のコーヒー粉（Ｐ）に向かって熱が伝導する。
（２）  ドリップバッグ（Ｙ）の底面断面が、直線的ではなくカーブを描くテーパー状であるので、コーヒー粉（Ｐ）に熱湯を注いだ後に、膨潤したコーヒー粉（Ｐ）の内部で、注いだ熱湯が活発に対流し、循環する。
（３）  好ましい態様において、コーヒー抽出器（Ｘ）とドリップバッグ（Ｙ）の間には、５〜７ｍｍの隙間が連続的に設けてあるので、下方にある抽出したコーヒー液（Ｊ）から、上方にあるコーヒー粉（Ｐ）を充填してあるドリップバッグ（Ｙ）のテーパー状の底部（テーパー部（Ｔ1））に向かって、高温の湯気の全てが立ち上り、ドリップバッグ（Ｙ）で膨潤しているコーヒー粉（Ｐ）に熱を伝達すると共に蒸らす。
（４）  好ましい態様において、コーヒー抽出器（Ｘ）とドリップバッグ（Ｙ）の間には、５〜７ｍｍの隙間が連続的に設けてあるので、下方にある抽出したコーヒー液（Ｊ）から、上方にあるコーヒー粉（Ｐ）を充填してあるドリップバッグ（Ｙ）の筒状の胴部（ストレート部（Ｓ1））に向かって、高温の湯気の全てがエアーカーテン状（層流状）に勢い良く立ち上り、ドリップバッグ（Ｙ）で膨潤しているコーヒー粉（Ｐ）がはらんでいる熱が、ドリップバッグ（Ｙ）の外部に逃げることを抑制する。
【符号の説明】
【００５４】
Ｘ；コーヒー抽出器
Ｙ；ドリップバッグ
Ｐ；コーヒー粉
Ａ；中筒（抽出筒）
Ａ’；中筒突出部
Ｂ；湯溜まり
Ｃ；外筒
Ｄ；底部
Ｅ；包装アルミパック
Ｙ’；バッグ本体
Ｆ；フック
Ｇ；先端部
Ｊ；コーヒー液（コーヒー抽出液）
Ｒ；ドリップバッグ（Ｙ）の先端部（Ｇ）の曲率半径
Ｒ1；ドリップバッグ開口部の平均半径
Ｗ ＝ （ Ｒ1 × π ）÷２ 
Ｒ2；中筒（Ａ）開口部の平均内径
Ｓ1；ドリップバッグのストレート部
Ｔ1；ドリップバッグのテーパー部（カーブ部）
Ｓ2；中筒（Ａ）のストレート部
Ｔ2；中筒（Ａ）のテーパー部
ｒ2；中筒（Ａ）のドリップバッグ先端部における平均半径
ＬS1；ドリップバッグのストレート部の長さ
ＬT1；ドリップバッグのテーパー部（カーブ部）の長さ
Ｌ1；ドリップバッグの全長
Ｌ1＝ＬS1＋ＬT1
ＬS2；中筒（Ａ）のストレート部の長さ
ＬT2；中筒（Ａ）のテーパー部の長さ
ＲT；ドリップバッグ（Ｙ）のテーパー部（Ｔ1）の曲率半径
Ｒ’；ＲTの中心についてのドリップバッグ（Ｙ）の中心からの距離
（偏心距離）
ＲG；ドリップバッグ（Ｙ）の先端部（Ｇ）の曲率半径
θ1；ドリップバッグ（Ｙ）のテーパー角
ドリップバッグ（Ｙ）にコーヒー粉（Ｐ）を充填して、ドリップバッグ
のストレート部（Ｓ1）が概ね円柱状となった状態におけるストレート部
（Ｓ1）の接線とテーパー部（Ｔ1）の接線がなすのテーパー角
θ2；コーヒー抽出器（Ｘ）中筒（Ａ）のテーパー角
コーヒー抽出器（Ｘ）中筒（Ａ）のストレート部（Ｓ2）の接線と
テーパー部（Ｔ2）の接線がなすのテーパー角
【図面の簡単な説明】
【００５５】
【図１】実登３１１６２１９号公報に開示されているコーヒー抽出器
【図２】特開２００７−１５９８９７号公報に開示されているコーヒー抽出器
【図３】コーヒードリップバッグの使用方法（出典；CAFE工房ホームページ）          （１）ドリップバッグを軽く振り、粉を下に寄せ、ドリップバッグ上部                の「切取線（キリトリ線）」に沿って切り取る。          （２）フックの下部をつまみ、左右に引っ張って広げてカップのフチに                      しっかりとセットする。                フックの外側部分を折り曲げてツメを立て、注ぎ口を安定させる。          （３）少量のお湯を粉に注ぎ、少し蒸らした後、２、３回に分けて、                お湯をゆっくり注ぐ。        ［出典ＵＲＬ］              http://www.cafekobo.com.cn/howtodrink/index.html  （一部改変）
【図４】コーヒー抽出器（Ｘ）の基本構造（上方からの斜視図）          Ａ；中筒（抽出筒）          Ｂ；湯溜まり          Ｃ；外筒
【図５】コーヒー抽出器（Ｘ）の基本構造（下方からの斜視図）          Ａ’；中筒突出部          Ｂ；湯溜まり          Ｃ；外筒          Ｄ；底部
【図６】コーヒー抽出器（Ｘ）の基本構造（好ましい態様の断面図）
【図７】コーヒー抽出器（Ｘ）中筒（Ａ）とドリップバッグ（Ｙ）の          主要部の名称          Ｒ1；ドリップバッグ開口部の平均半径          Ｒ2；中筒（Ａ）開口部の平均内径          Ｓ1；ドリップバッグのストレート部          Ｔ1；ドリップバッグのテーパー部（カーブ部）          Ｓ2；中筒（Ａ）のストレート部          Ｔ2；中筒（Ａ）のテーパー部          ｒ2；中筒（Ａ）のドリップバッグ先端部における平均半径
【図８】コーヒー抽出器（Ｘ）中筒（Ａ）とドリップバッグ（Ｙ）の          主要部の寸法          Ｒ1；ドリップバッグ開口部の平均半径          Ｒ2；中筒（Ａ）開口部の平均内径          ＬS1；ドリップバッグのストレート部の長さ          ＬT1；ドリップバッグのテーパー部（カーブ部）の長さ          ＬS1；ドリップバッグのストレート部の長さ          ＬT1；ドリップバッグのテーパー部（カーブ部）の長さ          Ｌ1＝ＬS1＋ＬT1          ＬS2；中筒（Ａ）のストレート部の長さ          ＬT2；中筒（Ａ）のテーパー部の長さ          Ｌ2＝ＬS2＋ＬT2          ｒ2；中筒（Ａ）のドリップバッグ先端部における平均半径
【図９】ドリップバッグ（Ｙ）の基本構造（好ましい態様の形状と寸法）と、          標準的な包装アルミパック（Ｅ）の内寸          （ Ｒ1 × π ）÷２ ＝ Ｗ ＝ ７０ｍｍ          ＬS1 ＝ ７５ｍｍ          ＬS1 ＋ ＬT1 ＝ １００ｍｍ
【図１０】ドリップバッグ（Ｙ）の基本構造（好ましい態様）          Ｆ；フック          Ｓ1；ドリップバッグのストレート部          Ｔ1；ドリップバッグのテーパー部（カーブ部）          Ｇ；先端
【図１１】ドリップバッグ（Ｙ）の名称と寸法（好ましい態様）          （ Ｒ1 × π ）÷２ ＝ Ｗ ＝ ７０ｍｍ          ＬS1 ＝ ７５ｍｍ          ＬS1 ＋ ＬT1 ＝ １００ｍｍ          Ｔ1；ドリップバッグのテーパー部（カーブ部）          Ｓ2；中筒（Ａ）のストレート部          Ｅ；先端
【図１２】ドリップバッグ（Ｙ）を規定するパラメーターと            テーパー部（Ｔ1）の曲率半径（ＲT）            （好ましい態様の形状と寸法）          Ｒ1；ドリップバッグ開口部の平均半径          Ｗ ＝ （ Ｒ1 × π ）÷２           ＲT；ドリップバッグ（Ｙ）のテーパー部（Ｔ1）の曲率半径          ＬS1；ドリップバッグのストレート部の長さ          ＬT1；ドリップバッグのテーパー部（カーブ部）の長さ          Ｌ1＝ＬS1＋ＬT1
【図１３】ドリップバッグ（Ｙ）を規定するパラメーターと            テーパー部（Ｔ1）の曲率半径（ＲT）            （好ましい態様の形状と寸法）          ＲT；ドリップバッグ（Ｙ）のテーパー部（Ｔ1）の曲率半径          Ｒ’；ＲTの中心についてのドリップバッグ（Ｙ）の中心からの距離
【図１４】ドリップバッグ（Ｙ）を規定するパラメーターと先端部（Ｇ）            の曲率半径（ＲG）（好ましい態様の形状と寸法）          ＲG；ドリップバッグ（Ｙ）の先端部（Ｇ）の曲率半径
【図１５】コーヒー抽出器（Ｘ）中筒（Ａ）とドリップバッグ（Ｙ）のテーパー角          θ2:コーヒー抽出器（Ｘ）中筒（Ａ）のストレート部（Ｓ2）の接線と              テーパー部（Ｔ2）の接線がなすのテーパー角          θ1；ドリップバッグ（Ｙ）にコーヒー粉（Ｐ）を充填して、ドリップバッグ              のストレート部（Ｓ1）が概ね円柱状となった状態におけるストレート部            （Ｓ1）の接線とテーパー部（Ｔ1）の接線がなすのテーパー角
【図１６】コーヒー抽出器（Ｘ）とドリップバッグ（Ｙ）を使用したコーヒー粉（Ｐ）            からコーヒー液（Ｃ）の抽出操作            （イ）湯溜まり（Ｂ）に熱湯を張る。            （ロ）ドリップバッグ（Ｙ）内のコーヒー粉（Ｃ）に熱湯を細くそっと注ぐ。            （ハ）コーヒー粉（Ｐ）からコーヒー液（Ｃ）の抽出を終えた状態。
【図１７】コーヒー抽出器（Ｘ）とドリップバッグ（Ｙ）（好ましい態様）            （イ）右側が本願発明に係るドリップバッグ（Ｙ）で、                  左側が市販ドリップバッグである。            （ロ）本願発明に係るドリップバッグ（Ｙ）と標準的な                  包装アルミパック（Ｅ）            （ハ）本願発明に係るドリップバッグ（Ｙ）を本願発明に係る                  コーヒー抽出器（Ｘ）を使用せずに、カップに載せた状態。                  ドリップバッグ（Ｙ）が不安定な状態が見て取れる。
【図１８】コーヒー抽出器（Ｘ）の使用態様  （１）  湯溜まり（Ｂ）に張った熱湯から、中筒（抽出筒（Ａ））を経て、ドリップバッグ（Ｙ）内のコーヒー粉（Ｐ）に向かって熱が伝導する。  （２）  ドリップバッグ（Ｙ）の底面断面が、直線的ではなくカーブを描くテーパー状であるので、コーヒー粉（Ｐ）に熱湯を注いだ後に、膨潤したコーヒー粉（Ｐ）の内部で、注いだ熱湯が活発に対流し、循環する。  （３）  下方にある抽出したコーヒー液（Ｊ）から、上方にあるコーヒー粉（Ｐ）を充填してあるドリップバッグ（Ｙ）のテーパー状の底部（テーパー部（Ｔ1））に向かって、高温の湯気の全てが立ち上り、ドリップバッグ（Ｙ）で膨潤しているコーヒー粉（Ｐ）に熱を伝達すると共に蒸らす。  （４）  下方にある抽出したコーヒー液（Ｊ）から、上方にあるコーヒー粉（Ｐ）を充填してあるドリップバッグ（Ｙ）の筒状の胴部（ストレート部（Ｓ1））に向かって、高温の湯気の全てがエアーカーテン状（層流状）に勢い良く立ち上り、ドリップバッグ（Ｙ）で膨潤しているコーヒー粉（Ｐ）がはらんでいる熱が、ドリップバッグ（Ｙ）の外部に逃げることを抑制する。
【図１】
2011200280.tif 000003
【図２】
2011200280.tif 000004
【図３】
2011200280.tif 000005
【図４】
2011200280.tif 000006
【図５】
2011200280.tif 000007
【図６】
2011200280.tif 000008
【図７】
2011200280.tif 000009
【図８】
2011200280.tif 000010
【図９】
2011200280.tif 000011
【図１０】
2011200280.tif 000012
【図１１】
2011200280.tif 000013
【図１２】
2011200280.tif 000014
【図１３】
2011200280.tif 000015
【図１４】
2011200280.tif 000016
【図１５】
2011200280.tif 000017
【図１６】
2011200280.tif 000018
【図１７】
2011200280.tif 000019
【図１８】
2011200280.tif 000020